(57)【要約】【課題】  エアゾール製品の不使用時に子供による誤使用の可能性を低減することができるエアゾールバルブを提供する。【解決手段】  エアゾールバルブ３０のステム付キャップ４０は、ステム部４１がステム用穴３１ａに挿入されている状態で自身が押されることによってステム部４１をステム用穴３１ａに押し込むボタン部４２と、エアゾール製品１０の内容物を収納する容器２０およびマウンティングカップ３１に取り付け可能であってエアゾール製品１０の不使用時にステム用穴３１ａを保護するキャップ部４３とを備えており、マウンティングカップ３１に対するステム付キャップ４０の向きは、ステム部４１がステム用穴３１ａに挿入されている状態と、キャップ部４３が容器２０およびマウンティングカップ３１に取り付けられている状態とで異なることを特徴とする。【選択図】  図２
2013256304.tif 000002
【特許請求の範囲】
【請求項１】
ステム部を備えているステム付部品と、前記ステム部が挿入可能であるステム用穴が形成されているマウンティングカップとを備えており、エアゾール製品の内容物を収納する容器に前記マウンティングカップが取り付けられた状態で前記ステム用穴に挿入された前記ステム部が前記ステム用穴に押し込まれることによって前記内容物を噴射するエアゾールバルブであって、
前記ステム付部品は、前記ステム部が前記ステム用穴に挿入されている状態で自身が押されることによって前記ステム部を前記ステム用穴に押し込むボタン部と、前記容器および前記マウンティングカップの少なくとも一方に取り付け可能であって前記エアゾール製品の不使用時に前記ステム用穴を保護するキャップ部とを備えており、
前記マウンティングカップに対する前記ステム付部品の向きは、前記ステム部が前記ステム用穴に挿入されている状態と、前記キャップ部が前記容器および前記マウンティングカップの少なくとも一方に取り付けられている状態とで異なることを特徴とするエアゾールバルブ。
【請求項２】
前記ステム付部品は、合成樹脂の一体成形品であることを特徴とする請求項１に記載のエアゾールバルブ。
【請求項３】
前記ステム部は、前記内容物を通す内容物流通路が形成されており、
前記内容物流通路は、前記キャップ部の内側に形成された空間に連通していることを特徴とする請求項１または請求項２に記載のエアゾールバルブ。
【請求項４】
前記ボタン部のうち押される部分は、前記キャップ部のうち前記空間の開口を形成している端部であることを特徴とする請求項３に記載のエアゾールバルブ。
【請求項５】
請求項１から請求項４までの何れかに記載のエアゾールバルブと、前記エアゾールバルブの前記マウンティングカップが取り付けられた前記容器とを備えていることを特徴とするエアゾール製品。
【発明の詳細な説明】
【技術分野】
【０００１】
本発明は、エアゾール製品の内容物を収納する容器に取り付けられるエアゾールバルブに関する。
【背景技術】
【０００２】
従来のエアゾール製品として、エアゾール製品の内容物を収納する容器と、この容器に取り付けられるエアゾールバルブと、エアゾールバルブに取り付けられるキャップとを備えているエアゾール製品が知られている（特許文献１参照。）。このエアゾールバルブは、容器に取り付けられるマウンティングカップと、マウンティングカップに形成されている穴から一部が飛び出しているステムと、エアゾール製品の使用時に自身が押されることによってステムを押すボタンとを備えており、ボタンを介してステムが押し込まれることによって容器の内容物を噴射するものである。キャップは、容器の内容物が使い切られていない場合、エアゾール製品の不使用時に、エアゾールバルブに取り付けられてボタンを保護するものである。また、キャップは、容器の内容物が使い切られた場合、ステムからボタンが取り外された後で、反転されてエアゾールバルブに取り付けられることによって、ステムを押し込んで容器内のガス抜きを行うものである。
【先行技術文献】
【特許文献】
【０００３】
【特許文献１】特開２０００−２１９２８３号公報
【発明の概要】
【発明が解決しようとする課題】
【０００４】
しかしながら、従来のエアゾール製品は、容器の内容物が使い切られていない場合、エアゾール製品の不使用時に子供がボタンを押して容器の内容物を噴射させてしまう可能性がある。
【０００５】
そこで、本発明は、エアゾール製品の不使用時に子供による誤使用の可能性を低減することができるエアゾールバルブを提供することを目的とする。
【課題を解決するための手段】
【０００６】
本発明のエアゾールバルブは、ステム部を備えているステム付部品と、前記ステム部が挿入可能であるステム用穴が形成されているマウンティングカップとを備えており、エアゾール製品の内容物を収納する容器に前記マウンティングカップが取り付けられた状態で前記ステム用穴に挿入された前記ステム部が前記ステム用穴に押し込まれることによって前記内容物を噴射するエアゾールバルブであって、前記ステム付部品は、前記ステム部が前記ステム用穴に挿入されている状態で自身が押されることによって前記ステム部を前記ステム用穴に押し込むボタン部と、前記容器および前記マウンティングカップの少なくとも一方に取り付け可能であって前記エアゾール製品の不使用時に前記ステム用穴を保護するキャップ部とを備えており、前記マウンティングカップに対する前記ステム付部品の向きは、前記ステム部が前記ステム用穴に挿入されている状態と、前記キャップ部が前記容器および前記マウンティングカップの少なくとも一方に取り付けられている状態とで異なることを特徴とする。
【０００７】
この構成により、本発明のエアゾールバルブは、エアゾール製品の不使用時にステム付部品のステム部がマウンティングカップのステム用穴から抜き取られることによって容器の内容物を噴射することができなくなるので、エアゾール製品の不使用時に子供による誤使用の可能性を低減することができる。また、本発明のエアゾールバルブは、ステム付部品のステム部がマウンティングカップのステム用穴から抜き取られることによって容器の内容物を噴射することができなくなるので、ステム付部品のステム部がマウンティングカップのステム用穴に挿入された状態でステム部がステム用穴に押し込まれることを防止するロック機構を別途備える構成と比較して、部品点数が少ない簡単な構造にすることができ、その結果として、例えば製造コストを低減することができる。また、本発明のエアゾールバルブは、ステム付部品のステム部がマウンティングカップのステム用穴から抜き取られるだけで容器の内容物を噴射することができなくなるので、ステム付部品のステム部がマウンティングカップのステム用穴に挿入された状態でステム部がステム用穴に押し込まれることを防止するロック機構を別途備える構成と比較して、容易な操作で子供による誤使用の可能性を低減することができる。また、本発明のエアゾールバルブは、ステム部、ボタン部およびキャップ部がステム付部品という同一の部品に含まれており、ステム付部品のステム部がマウンティングカップのステム用穴から抜き取られた場合もステム付部品のキャップ部が使用されるので、ステム部がマウンティングカップのステム用穴から抜き取られた場合にステム部およびボタン部を別途保管する必要性が生じることを防止することができる。
【０００８】
また、本発明のエアゾールバルブにおいて、前記ステム付部品は、合成樹脂の一体成形品であっても良い。
【０００９】
この構成により、本発明のエアゾールバルブは、部品点数を低減することができ、その結果として、例えば製造コストを低減することができる。
【００１０】
また、本発明のエアゾールバルブにおいて、前記ステム部は、前記内容物を通す内容物流通路が形成されており、前記内容物流通路は、前記キャップ部の内側に形成された空間に連通していても良い。
【００１１】
この構成により、本発明のエアゾールバルブは、キャップ部の内側に形成された空間によって容器の内容物の噴射の範囲の広がりを抑えることができるので、容器の内容物を特定の範囲に噴射することができる。
【００１２】
また、本発明のエアゾールバルブにおいて、前記ボタン部のうち押される部分は、前記キャップ部のうち前記空間の開口を形成している端部であっても良い。
【００１３】
この構成により、本発明のエアゾールバルブは、キャップ部の端部が対象に押し付けられることによって容器の内容物を噴射することができるので、キャップ部の端部によって囲まれた特定の範囲に簡単な操作によって容器の内容物を噴射することができる。
【００１４】
本発明のエアゾール製品は、上述のエアゾールバルブと、前記エアゾールバルブの前記マウンティングカップが取り付けられた前記容器とを備えていることを特徴とする。
【００１５】
この構成により、本発明のエアゾール製品は、不使用時にステム付部品のステム部がマウンティングカップのステム用穴から抜き取られることによって容器の内容物を噴射することができなくなるので、不使用時に子供による誤使用の可能性を低減することができる。また、本発明のエアゾール製品は、ステム付部品のステム部がマウンティングカップのステム用穴から抜き取られることによって容器の内容物を噴射することができなくなるので、ステム付部品のステム部がマウンティングカップのステム用穴に挿入された状態でステム部がステム用穴に押し込まれることを防止するロック機構を別途備える構成と比較して、部品点数が少ない簡単な構造にすることができ、その結果として、例えば製造コストを低減することができる。また、本発明のエアゾール製品は、ステム付部品のステム部がマウンティングカップのステム用穴から抜き取られるだけで容器の内容物を噴射することができなくなるので、ステム付部品のステム部がマウンティングカップのステム用穴に挿入された状態でステム部がステム用穴に押し込まれることを防止するロック機構を別途備える構成と比較して、容易な操作で子供による誤使用の可能性を低減することができる。また、本発明のエアゾール製品は、ステム部、ボタン部およびキャップ部がステム付部品という同一の部品に含まれており、ステム付部品のステム部がマウンティングカップのステム用穴から抜き取られた場合もステム付部品のキャップ部が使用されるので、ステム部がマウンティングカップのステム用穴から抜き取られた場合にステム部およびボタン部を別途保管する必要性が生じることを防止することができる。
【発明の効果】
【００１６】
本発明のエアゾールバルブは、エアゾール製品の不使用時に子供による誤使用の可能性を低減することができる。
【図面の簡単な説明】
【００１７】
【図１】不使用時の本発明の一実施の形態に係るエアゾール製品の正面図であって、エアゾールバルブの近傍の図である。
【図２】不使用時の図１に示すエアゾール製品の正面断面図であって、エアゾールバルブの近傍の図である。
【図３】ステム付キャップのステム部がマウンティングカップのステム用穴に挿入されている状態でステム付キャップのボタン部が押されていない場合の図１に示すエアゾール製品の正面図であって、エアゾールバルブの近傍の図である。
【図４】ステム付キャップのステム部がマウンティングカップのステム用穴に挿入されている状態でステム付キャップのボタン部が押されていない場合の図１に示すエアゾール製品の正面断面図であって、エアゾールバルブの近傍の図である。
【図５】ステム付キャップのステム部がマウンティングカップのステム用穴に挿入されている状態でステム付キャップのボタン部が押されている場合の図１に示すエアゾール製品の一例を示す図である。
【図６】ステム付キャップのステム部がマウンティングカップのステム用穴に挿入されている状態でステム付キャップのボタン部が押されている場合の図１に示すエアゾール製品の正面断面図であって、エアゾールバルブの近傍の図である。
【発明を実施するための形態】
【００１８】
以下、本発明の一実施の形態について、図面を用いて説明する。
【００１９】
まず、本実施の形態に係るエアゾール製品の構成について説明する。
【００２０】
図１は、不使用時の本実施の形態に係るエアゾール製品１０の正面図であって、エアゾールバルブ３０の近傍の図である。図２は、不使用時のエアゾール製品１０の正面断面図であって、エアゾールバルブ３０の近傍の図である。図３は、ステム付キャップ４０のステム部４１がマウンティングカップ３１のステム用穴３１ａに挿入されている状態でステム付キャップ４０のボタン部４２が押されていない場合のエアゾール製品１０の正面図であって、エアゾールバルブ３０の近傍の図である。図４は、ステム付キャップ４０のステム部４１がマウンティングカップ３１のステム用穴３１ａに挿入されている状態でステム付キャップ４０のボタン部４２が押されていない場合のエアゾール製品１０の正面断面図であって、エアゾールバルブ３０の近傍の図である。
【００２１】
図１〜図４に示すように、エアゾール製品１０は、内容物を収納する金属製の容器２０と、容器２０に取り付けられたエアゾールバルブ３０とを備えている。
【００２２】
エアゾールバルブ３０は、容器２０に取り付けられる金属製のマウンティングカップ３１と、マウンティングカップ３１に支持されている合成樹脂製のハウジング３２と、マウンティングカップ３１およびハウジング３２に支持されているゴム製のステムラバー３３と、ハウジング３２およびステムラバー３３の間に収納されている合成樹脂製のバルブシート３４と、ハウジング３２およびバルブシート３４の間に収納されていてバルブシート３４をステムラバー３３側に付勢する金属製のスプリング３５と、ハウジング３２に支持されている合成樹脂製のパイプ３６と、容器２０およびマウンティングカップ３１の間に配置されたゴム製のパッキン３７と、本発明のステム付部品の一例である合成樹脂製のステム付キャップ４０とを備えている。
【００２３】
マウンティングカップ３１は、後述のステム部４１が挿入可能であるステム用穴３１ａが形成されている。
【００２４】
ハウジング３２は、バルブシート３４との間に配置された溝３２ａと、パイプ３６に連通する穴３２ｂとが形成されている。
【００２５】
ステムラバー３３は、後述のステム部４１が挿入されるステム挿入穴３３ａが形成されている。
【００２６】
バルブシート３４は、後述のステム部４１と嵌め合わされる嵌合部３４ａを備えている。
【００２７】
ステム付キャップ４０は、マウンティングカップ３１のステム用穴３１ａに挿入可能であるステム部４１と、ステム部４１がステム用穴３１ａに挿入されている状態で自身が押されることによってステム部４１をステム用穴３１ａに押し込むボタン部４２と、容器２０およびマウンティングカップ３１に取り付け可能であってエアゾール製品１０の不使用時にステム用穴３１ａを保護するキャップ部４３とを備えている。
【００２８】
マウンティングカップ３１に対するステム付キャップ４０の向きは、ステム部４１がマウンティングカップ３１のステム用穴３１ａに挿入されている状態と、キャップ部４３が容器２０およびマウンティングカップ３１に取り付けられている状態とで異なっている。
【００２９】
ステム付キャップ４０は、合成樹脂の一体成形品である。
【００３０】
ステム部４１は、容器２０の内容物を通す内容物流通路４１ａと、内容物流通路４１ａに連通する溝４１ｂとが形成されている。内容物流通路４１ａは、キャップ部４３の内側に形成された空間４３ａに連通している。
【００３１】
ボタン部４２のうち押される部分４２ａは、キャップ部４３のうち空間４３ａの開口４３ｂを形成している端部４３ｃである。
【００３２】
エアゾールバルブ３０は、マウンティングカップ３１のステム用穴３１ａに挿入されたステム付キャップ４０のステム部４１がステム用穴３１ａに押し込まれることによって容器２０の内容物を噴射するようになっている。
【００３３】
次に、エアゾール製品１０の不使用時の状態について説明する。
【００３４】
エアゾール製品１０は、不使用時に、図１および図２に示すように、ステム付キャップ４０のキャップ部４３が容器２０およびマウンティングカップ３１に取り付けられる。
【００３５】
エアゾール製品１０は、図１および図２に示す状態において、子供によってステム付キャップ４０が容器２０およびマウンティングカップ３１から取り外されたとしても、マウンティングカップ３１のステム用穴３１ａにステム付キャップ４０のステム部４１が挿入されていない。したがって、エアゾール製品１０は、容器２０の内容物が使い切られていない場合であっても、エアゾール製品１０の不使用時に子供が容器２０の内容物を噴射させてしまう可能性がない。
【００３６】
次に、エアゾール製品１０のステム付キャップ４０のステム部４１がマウンティングカップ３１のステム用穴３１ａに挿入されている状態について説明する。
【００３７】
エアゾール製品１０は、図１および図２に示す不使用時の状態である場合、ステム付キャップ４０のキャップ部４３が容器２０およびマウンティングカップ３１から取り外された後、ステム付キャップ４０のステム部４１がマウンティングカップ３１のステム用穴３１ａおよびステムラバー３３のステム挿入穴３３ａに挿入されてバルブシート３４の嵌合部３４ａに嵌め合わされることによって、図３および図４に示す状態になる。
【００３８】
図５は、ステム付キャップ４０のステム部４１がマウンティングカップ３１のステム用穴３１ａに挿入されている状態でステム付キャップ４０のボタン部４２が押されている場合のエアゾール製品１０の一例を示す図である。図６は、ステム付キャップ４０のステム部４１がマウンティングカップ３１のステム用穴３１ａに挿入されている状態でステム付キャップ４０のボタン部４２が押されている場合のエアゾール製品１０の正面断面図であって、エアゾールバルブ３０の近傍の図である。
【００３９】
エアゾール製品１０は、図３および図４に示す状態においてステム付キャップ４０のボタン部４２が押されることによって、ステム付キャップ４０のステム部４１がスプリング３５の付勢力に抗ってバルブシート３４をステムラバー３３側とは反対側に移動させると、図５および図６に示す状態になる。
【００４０】
なお、図５は、使用者９０がステム付キャップ４０のボタン部４２の部分４２ａを、対象９１に押し付けた状態を示す図である。
【００４１】
図５および図６に示す状態において、エアゾール製品１０の容器２０の内容物は、エアゾールとして、パイプ３６と、ハウジング３２の穴３２ｂと、ハウジング３２の溝３２ａと、ステムラバー３３およびバルブシート３４の間に形成された隙間と、ステム部４１の溝４１ｂと、ステム部４１の内容物流通路４１ａとを順に通過した後、キャップ部４３の空間４３ａ内に噴射される。
【００４２】
エアゾール製品１０は、図５および図６に示す状態においてボタン部４２が押されなくなることによって、スプリング３５の付勢力によってバルブシート３４がステムラバー３３側に移動すると、図３および図４に示す状態に戻る。
【００４３】
なお、エアゾール製品１０は、図３および図４に示す状態である場合、ステム付キャップ４０のステム部４１がマウンティングカップ３１のステム用穴３１ａから抜き取られた後、ステム付キャップ４０が反転させられてステム付キャップ４０のキャップ部４３が容器２０およびマウンティングカップ３１に取り付けられることによって、図１および図２に示すように不使用時の状態になる。
【００４４】
以上に説明したように、エアゾール製品１０およびエアゾールバルブ３０は、エアゾール製品１０の不使用時にステム付キャップ４０のステム部４１がマウンティングカップ３１のステム用穴３１ａから抜き取られることによって容器２０の内容物を噴射することができなくなるので、エアゾール製品１０の不使用時に子供による誤使用の可能性を低減することができる。
【００４５】
また、エアゾール製品１０およびエアゾールバルブ３０は、ステム付キャップ４０のステム部４１がマウンティングカップ３１のステム用穴３１ａから抜き取られることによって容器２０の内容物を噴射することができなくなるので、ステム付キャップ４０のステム部４１がマウンティングカップ３１のステム用穴３１ａに挿入された状態でステム部４１がステム用穴３１ａに押し込まれることを防止するロック機構を別途備える構成と比較して、部品点数が少ない簡単な構造にすることができ、その結果として、例えば製造コストを低減することができる。
【００４６】
また、エアゾール製品１０およびエアゾールバルブ３０は、ステム付キャップ４０のステム部４１がマウンティングカップ３１のステム用穴３１ａから抜き取られるだけで容器２０の内容物を噴射することができなくなるので、ステム付キャップ４０のステム部４１がマウンティングカップ３１のステム用穴３１ａに挿入された状態でステム部４１がステム用穴３１ａに押し込まれることを防止するロック機構を別途備える構成と比較して、容易な操作で子供による誤使用の可能性を低減することができる。
【００４７】
また、エアゾール製品１０およびエアゾールバルブ３０は、ステム部４１、ボタン部４２およびキャップ部４３がステム付キャップ４０という同一の部品に含まれており、ステム付キャップ４０のステム部４１がマウンティングカップ３１のステム用穴３１ａから抜き取られた場合もステム付キャップ４０のキャップ部４３が使用されるので、ステム部４１がマウンティングカップ３１のステム用穴３１ａから抜き取られた場合にステム部４１およびボタン部４２を別途保管する必要性が生じることを防止することができる。
【００４８】
また、エアゾール製品１０およびエアゾールバルブ３０は、ステム付キャップ４０が合成樹脂の一体成形品であるので、部品点数を低減することができ、その結果として、例えば製造コストを低減することができる。なお、ステム付キャップ４０は、合成樹脂の一体成形品ではなく、複数の部品が組み合わされることによって構成されていても良い。
【００４９】
また、エアゾール製品１０およびエアゾールバルブ３０は、ステム付キャップ４０のステム部４１の内容物流通路４１ａがキャップ部４３の内側に形成された空間４３ａに連通しているので、キャップ部４３の内側に形成された空間４３ａによって容器２０の内容物の噴射の範囲の広がりを抑えることができる。したがって、エアゾール製品１０およびエアゾールバルブ３０は、容器２０の内容物を特定の範囲に噴射することができる。
【００５０】
また、エアゾール製品１０およびエアゾールバルブ３０は、ステム付キャップ４０のボタン部４２のうち押される部分４２ａがキャップ部４３のうち空間４３ａの開口４３ｂを形成している端部４３ｃであるので、キャップ部４３の端部４３ｃが対象９１に押し付けられることによって容器２０の内容物を噴射することができる。したがって、エアゾール製品１０およびエアゾールバルブ３０は、キャップ部４３の端部４３ｃによって囲まれた特定の範囲に簡単な操作によって容器２０の内容物を噴射することができる。
【００５１】
なお、エアゾール製品１０の容器２０の内容物としては、容器２０の内容物を特定の範囲に噴射することができるというエアゾール製品１０の機能を考慮すれば、例えば消炎剤、制汗剤、育毛剤、忌避剤、かゆみ止めなどが適している。
【００５２】
また、キャップ部４３は、本実施の形態において容器２０およびマウンティングカップ３１に取り付け可能であるが、容器２０およびマウンティングカップ３１の何れか一方のみに取り付け可能であっても良い。
【符号の説明】
【００５３】
１０  エアゾール製品
２０  容器
３０  エアゾールバルブ
３１  マウンティングカップ
３１ａ  ステム用穴
４０  ステム付キャップ（ステム付部品）
４１  ステム部
４１ａ  内容物流通路
４２  ボタン部
４２ａ  部分（押される部分）
４３  キャップ部
４３ａ  空間
４３ｂ  開口
４３ｃ  端部
【図１】
2013256304.tif 000003
【図２】
2013256304.tif 000004
【図３】
2013256304.tif 000005
【図４】
2013256304.tif 000006
【図５】
2013256304.tif 000007
【図６】
2013256304.tif 000008